【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】  入力された任意の繰り返し周期を有する被測定信号を、この被測定信号の繰り返し周期より長い周期を有するサンプリング信号でサンプリングするサンプリング部（１２）と、このサンプリング部（１２）によってサンプリングされた被測定信号の包絡線波形を求め、この包絡線波形から前記被測定信号の信号波形を求めるデータ処理部（２３）とを有する波形測定装置において、
基準信号入力端子（ＲＥＦ）を有し、該基準信号入力端子（ＲＥＦ）に印加される基準信号を用いて前記被測定信号の繰り返し周波数に等しい周波数を有する周波数信号を出力する周波数信号発生器（１５）と、
この周波数信号発生器（１５）から出力された周波数信号の位相と前記被測定信号の位相との位相差を検出して位相差信号として出力する位相比較器（１４）と、
この位相比較器（１４）から出力された位相差信号に基づいて前記被測定信号に位相同期した基準信号を発生して前記周波数信号発生器（１５）の前記基準信号入力端子（ＲＥＦ）へ帰還させる電圧制御発振器（１７）と、
この電圧制御発振器（１７）から出力される基準信号を用いて前記サンプリング信号を発生するサンプリング信号発生回路（１８）と
を備えたことを特徴とする波形測定装置。
【請求項２】  前記周波数信号発生器（１５）から出力された周波数信号と前記被測定信号とをミキシングするミキサ回路（２７）を備え、
前記位相比較器（１４）は、前記基準信号入力端子（ＲＥＦ）に印加される基準信号の位相と前記ミキサ回路（２７）からの出力信号の位相との位相差を検出して位相差信号として出力する
ことを特徴とする請求項１記載の波形測定装置。
【請求項３】  前記被測定信号の繰り返し周波数を１／ｎ（ｎ；正整数）に分周する分周器（２８）を備え、
前記周波数信号発生器（１５）は、前記基準信号入力端子（ＲＥＦ）に印加される基準信号を用いて前記被測定信号の繰り返し周波数が１／ｎ（ｎ；正整数）に等しい周波数を有する周波数信号を出力し、
前記位相比較器（１４）は、前記周波数信号発生器（１５）から出力された周波数信号の位相と前記分周器（２８）によって繰り返し周波数を１／ｎ（ｎ；正整数）に分周された前記被測定信号の位相との位相差を検出して位相差信号として出力する
ことを特徴とする請求項１記載の波形測定装置。
【請求項４】  前記基準信号の周波数のｍ（ｍ；正整数）てい倍の周波数を有する信号を出力する周波数てい倍器（２６）と、
前記周波数信号発生器（１５）から出力された周波数信号と前記被測定信号とをミキシングするミキサ回路（２７）とを備え、
前記周波数信号発生器（１５）は、前記基準信号入力端子（ＲＥＦ）に印加される基準信号を用いて前記被測定信号の繰り返し周波数に等しい周波数と前記基準信号の周波数のｍ（ｍ；正整数）てい倍の周波数とを加算または減算した周波数を有する周波数信号を出力し、
前記位相比較器（１４）は、前記基準信号入力端子（ＲＥＦ）に前記周波数てい倍器（２９）から印加される前記基準信号の周波数のｍてい倍の周波数を有する信号の位相と前記ミキサ回路（２７）からの出力信号の位相との位相差を検出して位相差信号として出力する
ことを特徴とする請求項１記載の波形測定装置。
【請求項５】  前記被測定信号の繰り返し周波数を測定する周波数測定部（２６）と、
この周波数測定部（２６）で測定された被測定信号の繰り返し周波数に基づいて、前記周波数信号発生器（１５）に対して該周波数信号発生器（１５）から出力する周波数信号の周波数を設定する周波数設定部（１６）と
を備えたことを特徴とする請求項１から４のいずれか１項記載の波形測定装置。
【請求項６】  前記被測定信号が光信号であるとき、
該光信号である前記被測定信号を２方向に分波する分波器（１１）と、
この分波器（１１）で分波された一方の被測定信号からその繰り返し周期のクロックを検出することにより、前記光信号である被測定信号を、前記繰り返し周波数を有する正弦波波形の電気信号の被測定信号に変換して出力するクロック再生器（２３）と
を備えたことを特徴とする請求項１から５のいずれか１項記載の波形測定装置。
【請求項７】  前記サンプリング部（１２）が電界吸収型変調器（１２）であるとき、
該電界吸収型変調器（１２）によって、前記分波器（１１）から入力された、光信号の被測定信号を前記サンプリング信号発生回路（１８）から入力されたサンプリング信号でサンプリングして得られた光信号の被測定信号を受光してサンプリング後の光信号である被測定信号を電気信号の被測定信号に変換する受光器（２１）と、
前記受光器（２１）によって電気信号に変換された被測定信号をデジタルの被測定信号に変換して、前記データ処理部（２３）へ送出するアナログ／デジタル変換器（２２）と、
前記データ処理部（２３）によって求められた前記包絡線波形の時間軸の目盛りを元の被測定信号の目盛りに変換して、前記被測定信号の信号波形として表示する表示器（２４）と
を備えたことを特徴とする請求項６記載の波形測定装置。
【手続補正２】
【補正対象書類名】明細書
【補正対象項目名】０００１
【補正方法】変更
【補正の内容】
【０００１】
【発明の属する技術分野】
本発明は、入力された任意の繰り返し周期を有する被測定信号の信号波形を求める波形測定装置に関する。
【手続補正３】
【補正対象書類名】明細書
【補正対象項目名】０００４
【補正方法】変更
【補正の内容】
【０００４】
したがって、このサンプリング信号ｂでサンプリングされた後の被測定信号ｃは、図示するように、サンプリング信号ｂに同期した位置にパルス状波形が出現する離散的波形となる。そして、この各パルス状波形の包絡線波形が被測定信号ａの時間軸方向に拡大された信号波形ｄとなる。
【手続補正４】
【補正対象書類名】明細書
【補正対象項目名】００１２
【補正方法】変更
【補正の内容】
【００１２】
Δｆ／ΔＴ＝ｆa2／ｎ2                                    …(3)
サンプリング回路１は、入力された被測定信号ａをサンプリング信号発生回路３ａから入力されたサンプリング信号ｂでサンプリングして、サンプリングされた被測定信号ｃを信号処理・波形表示部４へ送出する。
【手続補正５】
【補正対象書類名】明細書
【補正対象項目名】００２１
【補正方法】変更
【補正の内容】
【００２１】
このことは、被測定信号ａの信号波形ｄを任意の時間分解能で測定できないことを示す。また、各分周器５，８ａの仕様特性等に起因してサンプリング信号ｂの繰り返し周波数ｆbの選択範囲も大きく制限される。
【手続補正６】
【補正対象書類名】明細書
【補正対象項目名】００２３
【補正方法】変更
【補正の内容】
【００２３】
【課題を解決するための手段】
本発明は、入力された任意の繰り返し周期を有する被測定信号を、この被測定信号の繰り返し周期より長い周期を有するサンプリング信号でサンプリングするサンプリング部と、このサンプリング部によってサンプリングされた被測定信号の包絡線波形を求め、この包絡線波形から被測定信号の信号波形を求めるデータ処理部とを有する波形測定装置に適用される。
【手続補正７】
【補正対象書類名】明細書
【補正対象項目名】００２４
【補正方法】変更
【補正の内容】
【００２４】
そして、上記課題を解消するために、本発明の請求項１の波形測定装置においては、基準信号入力端子（ＲＥＦ）を有し、該基準信号入力端子（ＲＥＦ）に印加される基準信号を用いて前記被測定信号の繰り返し周波数に等しい周波数を有する周波数信号を出力する周波数信号発生器（１５）と、この周波数信号発生器（１５）から出力された周波数信号の位相と前記被測定信号の位相との位相差を検出して位相差信号として出力する位相比較器（１４）と、この位相比較器（１４）から出力された位相差信号に基づいて前記被測定信号に位相同期した基準信号を発生して前記周波数信号発生器（１５）の前記基準信号入力端子（ＲＥＦ）へ帰還させる電圧制御発振器（１７）と、この電圧制御発振器（１７）から出力される基準信号を用いて前記サンプリング信号を発生するサンプリング信号発生回路（１８）とを備えている。
【手続補正８】
【補正対象書類名】明細書
【補正対象項目名】００２７
【補正方法】変更
【補正の内容】
【００２７】
請求項２においては、上記波形測定装置において、前記周波数信号発生器（１５）から出力された周波数信号と前記被測定信号とをミキシングするミキサ回路（２７）を備え、前記位相比較器（１４）は、前記基準信号入力端子（ＲＥＦ）に印加される基準信号の位相と前記ミキサ回路（２７）からの出力信号の位相との位相差を検出して位相差信号として出力するようにしている。
【手続補正９】
【補正対象書類名】明細書
【補正対象項目名】００２８
【補正方法】変更
【補正の内容】
【００２８】
請求項３においては、上記波形測定装置において、前記被測定信号の繰り返し周波数を１／ｎ（ｎ；正整数）に分周する分周器（２８）を備え、前記周波数信号発生器（１５）は、前記基準信号入力端子（ＲＥＦ）に印加される基準信号を用いて前記被測定信号の繰り返し周波数が１／ｎ（ｎ；正整数）に等しい周波数を有する周波数信号を出力し、前記位相比較器（１４）は、前記周波数信号発生器（１５）から出力された周波数信号の位相と前記分周器（２８）によって繰り返し周波数を１／ｎ（ｎ；正整数）に分周された前記被測定信号の位相との位相差を検出して位相差信号として出力するようにしている。
【手続補正１０】
【補正対象書類名】明細書
【補正対象項目名】００２９
【補正方法】変更
【補正の内容】
【００２９】
請求項４においては、上記波形測定装置において、前記基準信号の周波数のｍ（ｍ；正整数）てい倍の周波数を有する信号を出力する周波数てい倍器（２６）と、前記周波数信号発生器（１５）から出力された周波数信号と前記被測定信号とをミキシングするミキサ回路（２７）とを備え、前記周波数信号発生器（１５）は、前記基準信号入力端子（ＲＥＦ）に印加される基準信号を用いて前記被測定信号の繰り返し周波数に等しい周波数と前記基準信号の周波数のｍ（ｍ；正整数）てい倍の周波数とを加算または減算した周波数を有する周波数信号を出力し、前記位相比較器（１４）は、前記基準信号入力端子（ＲＥＦ）に前記周波数てい倍器（２９）から印加される前記基準信号の周波数のｍてい倍の周波数を有する信号の位相と前記ミキサ回路（２７）からの出力信号の位相との位相差を検出して位相差信号として出力する。
【手続補正１１】
【補正対象書類名】明細書
【補正対象項目名】００３０
【補正方法】変更
【補正の内容】
【００３０】
請求項５においては、上記波形測定装置において、前記被測定信号の繰り返し周波数を測定する周波数測定部（２６）と、この周波数測定部（２６）で測定された被測定信号の繰り返し周波数に基づいて、前記周波数信号発生器（１５）に対して該周波数信号発生器（１５）から出力する周波数信号の周波数を設定する周波数設定部（１６）とを備えている。
【手続補正１２】
【補正対象書類名】明細書
【補正対象項目名】００３１
【補正方法】変更
【補正の内容】
【００３１】
請求項６においては、上記波形測定装置において、前記被測定信号が光信号であるとき、該光信号である前記被測定信号を２方向に分波する分波器（１１）と、この分波器（１１）で分波された一方の被測定信号からその繰り返し周期のクロックを検出することにより、前記光信号である被測定信号を、前記繰り返し周波数を有する正弦波波形の電気信号の被測定信号に変換して出力するクロック再生器（２３）とを備えている。
請求項７においては、上記波形測定装置において、前記サンプリング部（１２）が電界吸収型変調器（１２）であるとき、該電界吸収型変調器（１２）によって、前記分波器（１１）から入力された、光信号の被測定信号を前記サンプリング信号発生回路（１８）から入力されたサンプリング信号でサンプリングして得られた光信号の被測定信号を受光してサンプリング後の光信号である被測定信号を電気信号の被測定信号に変換する受光器（２１）と、前記受光器（２１）によって電気信号に変換された被測定信号をデジタルの被測定信号に変換して、前記データ処理部（２３）へ送出するアナログ／デジタル変換器（２２）と、前記データ処理部（２３）によって求められた前記包絡線波形の時間軸の目盛りを元の被測定信号の目盛りに変換して、前記被測定信号の信号波形として表示する表示器（２４）とを備えている。
【手続補正１３】
【補正対象書類名】明細書
【補正対象項目名】００４３
【補正方法】変更
【補正の内容】
【００４３】
受光器２１は、入射されたサンプリング後の光信号の被測定信号ｃを電気信号の被測定信号ｃ1に変換する。受光器２１から出力された被測定信号ｃ1はＡ／Ｄ器２２でデジタルのサンプリングされた被測定信号ｃ2にＡ／Ｄ変換されて、データ処理部２３へ入力される。
【手続補正１４】
【補正対象書類名】明細書
【補正対象項目名】００５２
【補正方法】変更
【補正の内容】
【００５２】
さらに、この第２実施形態の波形測定装置においては、たとえ被測定信号ａの繰り返し周波数ｆaが不明であったとしても、被測定信号ａの信号波形ｄを正しく測定できる。
【手続補正１５】
【補正対象書類名】明細書
【補正対象項目名】図６
【補正方法】変更
【補正の内容】
【図６】
本発明の第６実施形態に係わる波形測定装置の概略構成を示すブロック図
【手続補正１６】
【補正対象書類名】図面
【補正対象項目名】図２
【補正方法】変更
【補正の内容】
【図２】
2002055124.tif 000001
【手続補正１７】
【補正対象書類名】図面
【補正対象項目名】図９
【補正方法】変更
【補正の内容】
【図９】
2002055124.tif 000002